(57)【要約】  【課題】  ガイド部材の脚部をコンベヤの本体フレーム側面に配設される側板等の位置にも自在に取り付け可能とすることにより、ガイド部材の種類を極力減らしてコストダウンを図れるようにしたベルトコンベヤの搬送物落下防止用ガイド部材を提供する。  【解決手段】  ガイド部材９は、ベルト搬送面５ａに沿わせて立設するガイド板１０と、このガイド板１０をコンベヤ１の本体フレーム２に支持する脚部１１とから成り、脚部１１の下端部には本体フレームの鋼管６の上端面に載置して係止させる凹部１２を形成する一方、前記鋼管６の下部側にボルト先端部１３ａを臨ませるように固定用ボルト１３を備える。そして、固定用ボルト１３の締め付け操作時には、鋼管６の下部側に当接したボルト先端部１３ａが鋼管６を上方へ押圧し、前記凹部１２とで鋼管６を挟持して脚部１１を強固に固定する。【選択図】  図２
2010202325.tif 000002
【特許請求の範囲】
【請求項１】
ベルトコンベヤのベルト搬送面両側に備える搬送物落下防止用のガイド部材であって、該ガイド部材は、ベルト搬送面に沿わせて立設する所定高さのガイド板と、該ガイド板をコンベヤの本体フレームに支持する脚部とから成り、該脚部の下端部には本体フレームを構成する鋼管の上端面に載置して係止させる凹部を形成する一方、前記鋼管の下部側にボルト先端部を臨ませるように固定用ボルトを備え、該固定用ボルトの締め付け操作時には鋼管の下部側に当接したボルト先端部が鋼管を上方へ押圧することによって前記凹部とで鋼管を挟持して脚部を固定するように構成したことを特徴とするベルトコンベヤの搬送物落下防止用ガイド部材。
【発明の詳細な説明】
【技術分野】
【０００１】
本発明は、土砂や粉体材料等の各種搬送物を連続的に搬送するベルトコンベヤのベルト搬送面両側に備える搬送物落下防止用のガイド部材に関する。
【背景技術】
【０００２】
ベルトコンベヤは、例えば、特許文献１、２に示すように、主に鋼管等から構成される本体フレームの一端に駆動用のモータプーリ等のヘッドプーリを、他端にテールプーリをそれぞれ回転自在に備えると共に、これらヘッドプーリとテールプーリ間に無端状のベルトを走行自在に巻回して成り、該ベルトを所定速度で走行させることにより、ベルト搬送面に供給される土砂や粉体材料等の各種搬送物を連続的に搬送可能としている。
【０００３】
また、上記ベルトコンベヤでは、土砂や粉体材料等の搬送物がベルト搬送面の側方から溢れて落下するのを防止するため、図７に示すように、ベルト１０５の搬送面１０５ａの両側にスカートなどと呼ばれる搬送物落下防止用のガイド部材１０９を備える場合がある。前記ガイド部材１０９は、ベルト搬送面１０５ａに沿わせて立設する適宜高さのガイド板１１０と、該ガイド板１１０をコンベヤ１０１の本体フレーム１０２に支持する脚部１１１とから成り、該脚部１１１と本体フレーム１０２を構成する鋼管１０６とを、例えば、Ｕボルト１２０やホースバンド等を用いて鋼管１０６外周を抱持させるように締結して固定している。また、ガイド板１１０の下端部にはベルト搬送面１０５ａとの隙間を塞ぐゴム板１１５を備えており、押さえ金具１１６にて固定している。
【０００４】
ところで、ベルトコンベヤ１０１の本体フレーム１０２側面には、本体フレーム１０２の上下の鋼管１０６同士を連結する側板１０８やフレーム連結用のジョイント金具等が適宜間隔にて多数配設されており、このような側板１０８等が配設されている位置では、本体フレーム１０２の鋼管１０６外周を抱持させるようにして締結を行う上記Ｕボルト１２０やホースバンド等は側板１０８と干渉して使用することができないため、例えば、ガイド板１１０に対して脚部１１１の位置をコンベヤの前後方向に若干ずらしたガイド部材１０９を何種類か用意しておき、その中から脚部１１１位置が側板１０８位置と重ならないものを選定して取り付けるようにしている。
【先行技術文献】
【特許文献】
【０００５】
【特許文献１】実開平１−１０９００８号公報
【特許文献２】実開平７−１５６２６号公報
【発明の概要】
【発明が解決しようとする課題】
【０００６】
しかしながら、ベルトコンベヤの本体フレーム側面に配設される側板やジョイント金具等の配置はコンベヤの機種や機長等によってそれぞれ異なるため、各種コンベヤに対してガイド部材を支障なく取り付けられるようにするためには、脚部位置を少しずつずらした非常に多種類のガイド部材を用意する必要があり、コストアップに繋がるだけでなく、取り付けミスや誤送等の原因にもなり、改善の余地があった。
【０００７】
本発明は上記の点に鑑み、ガイド部材の脚部をコンベヤの本体フレーム側面に配設される側板等の位置にも自在に取り付け可能とすることにより、ガイド部材の種類を極力減らしてコストダウンを図れるようにしたベルトコンベヤの搬送物落下防止用ガイド部材を提供することを課題とする。
【課題を解決するための手段】
【０００８】
上記の課題を解決するために、本発明に係るベルトコンベヤの搬送物落下防止用ガイド部材では、ベルトコンベヤのベルト搬送面両側に備える搬送物落下防止用のガイド部材であって、該ガイド部材は、ベルト搬送面に沿わせて立設する所定高さのガイド板と、該ガイド板をコンベヤの本体フレームに支持する脚部とから成り、該脚部の下端部には本体フレームを構成する鋼管の上端面に載置して係止させる凹部を形成する一方、前記鋼管の下部側にボルト先端部を臨ませるように固定用ボルトを備え、該固定用ボルトの締め付け操作時には鋼管の下部側に当接したボルト先端部が鋼管を上方へ押圧することによって前記凹部とで鋼管を挟持して脚部を固定するように構成したことを特徴としている。
【発明の効果】
【０００９】
本発明に係るベルトコンベヤの搬送物落下防止用ガイド部材によれば、ベルトコンベヤのベルト搬送面両側に備える搬送物落下防止用のガイド部材であって、該ガイド部材は、ベルト搬送面に沿わせて立設する所定高さのガイド板と、該ガイド板をコンベヤの本体フレームに支持する脚部とから成り、該脚部の下端部には本体フレームを構成する鋼管の上端面に載置して係止させる凹部を形成する一方、前記鋼管の下部側にボルト先端部を臨ませるように固定用ボルトを備え、該固定用ボルトの締め付け操作時には鋼管の下部側に当接したボルト先端部が鋼管を上方へ押圧することによって前記凹部とで鋼管を挟持して脚部を固定するように構成したので、ガイド部材の脚部を本体フレームの側板位置にも自在に取り付け可能となり、それによってガイド部材の種類を減らせてコストダウンが図れると共に、取り付けミスや誤送等の低減も期待できる。
【図面の簡単な説明】
【００１０】
【図１】本発明に係るベルトコンベヤの搬送物落下防止用ガイド部材を採用したベルトコンベヤの一実施例を示す正面図である。
【図２】図１の一部を省略したＡ−Ａ断面拡大図である。
【図３】ガイド部材の正面図である。
【図４】図３のＢ−Ｂ断面拡大図である。
【図５】別の実施例を示す図４に相当する図である。
【図６】更に別の実施例を示す図４に相当する図である。
【図７】従来例を示す図２に相当する図である。
【発明を実施するための形態】
【００１１】
本発明に係るベルトコンベヤの搬送物落下防止用ガイド部材９にあっては、図２に示すように、コンベヤ１のベルト５の搬送面５ａに沿わせて立設するガイド板１０と、該ガイド板１０をコンベヤ１の本体フレーム２に支持する脚部１１とから成り、該脚部１１の下端部には本体フレーム２の鋼管６の上端面に載置させて係止可能な凹部１２を形成している一方、前記鋼管６の下部側に側方よりボルト先端部１３ａを臨ませるように固定用ボルト１３を備えている。そして、図４に示すように、前記固定用ボルト１３を鋼管６側（図４中の矢印Ａ方向）へ締め付け操作したときには、鋼管６の下部側に当接したボルト先端部１３ａが鋼管６を上方（図４中の矢印Ｂ方向）へ押圧することにより、前記凹部１２とで鋼管６を挟持して脚部１１を固定するように構成している。
【００１２】
このように構成したことにより、ガイド部材９の脚部１１をコンベヤ１の本体フレーム２の鋼管６に固定するときに、Ｕボルトやホースバンド等のように鋼管６の外周を抱持させることなく本体フレーム２に配設される側板８等の位置にも自在に取り付け可能となり、それによって従来のように側板等の位置が異なるコンベヤの機種毎に脚部位置の異なるガイド部材をそれぞれ用意するといった必要がなくなり、ガイド部材の種類を大幅に減らせてコストダウンが図れると共に、種類の多さから生じる取り付けミスや誤送等の低減も期待できる。
【実施例１】
【００１３】
以下、本発明の一実施例を図１〜図４に基づいて説明する。
【００１４】
図中の１は主に鋼管６等から構成される本体フレーム２の一端に駆動用のモータプーリ等のヘッドプーリ３を、他端にテールプーリ４をそれぞれ回転自在に軸支すると共に、これらヘッドプーリ３とテールプーリ４間に無端状のベルト５を走行自在に巻回して成るベルトコンベヤであって、前記ベルト５を所定速度で走行させることにより、ベルト搬送面５ａに供給される土砂や粉体材料等の各種搬送物を連続的に搬送可能としている。
【００１５】
なお、本実施例では、本体フレーム２を、ヘッドプーリ３を備えたヘッドフレーム２ａ、テールプーリ４を備えたテールフレーム２ｃ間に、適宜長さの中間フレーム２ｂを介在させ、それぞれをフレーム連結用のジョイント金具７にて連結して構成しており、中間フレーム２ｂの長さを調整することでコンベヤ１の機長を用途に応じたものに容易に調節可能としたユニット式のものを採用している。また、各フレーム２ａ、２ｂ、２ｃの側面には、フレームを構成する上下鋼管６同士を連結する側板８を適宜間隔にて多数配設している。
【００１６】
９はベルト搬送面５ａの側方から搬送物が溢れて落下するのを防止する搬送物落下防止用のガイド部材であって、ベルト搬送面５ａの両側にそれぞれ沿わせて立設する、搬送物の種類や性状等に合わせて適宜高さに形成した略Ｌ字形状のガイド板１０と、該ガイド板１０を本体フレーム２に支持する、二枚の板体１１ａ、１１ｂを断面略Ｔ字状に接合して成る脚部１１とから成り、該脚部１１の板体１１ｂの下端部には本体フレーム２の鋼管６の上端面に載置させて係止可能な略円弧状の凹部１２を形成している一方、板体１１ａの下端部には前記鋼管６の下部側に側方よりボルト先端部１３ａを臨ませるように固定用ボルト１３を備えている。
【００１７】
１４は前記板体１１ｂ下端部に形成した凹部１２の先端側に垂下させるようにして形成した掛止片であって、前記固定用ボルト１３によって鋼管６を押圧した際に、その力を逃がさずにしっかりと受け止められるように図っている。また、１５は前記ガイド板１０の下端部とベルト搬送面５ａとの隙間を塞ぐゴム板であって、ガイド板１０の裏面側に備えた押さえ金具１６により前記ゴム板１５の上端部を押さえ付けて固定するようにしている。
【００１８】
そして、上記搬送物落下防止用のガイド部材９をコンベヤ１の本体フレーム２に固定して支持させるときには、ガイド部材９の脚部１１の板体１１ｂ下端部に形成した凹部１２を本体フレーム２の鋼管６の上端面に載置して係止させた後、固定用ボルト１３を鋼管６側（図４中の矢印Ａ方向）へ締め付け操作すると、ボルト先端部１３ａが鋼管６の下端部に当接して鋼管６を上方（図４中の矢印Ｂ方向）へ押圧し、これによって前記凹部１２及び掛止片１４とで鋼管６を挟持して脚部１１を強固に固定する。
【００１９】
このように、ガイド部材９の脚部１１をコンベヤ１の本体フレーム２の鋼管６に固定するときに、Ｕボルトやホースバンド等のように鋼管６の外周を抱持させることなく本体フレーム２の側板８やジョイント金具７等の位置にも自在に取り付けられ、それによって側板８やジョイント金具７等の配置が異なる各種コンベヤに対して比較的少ない種類のガイド部材でも十分に対応可能となってコストダウンが図れると共に、取り付けミスや誤送等の低減も期待できる。
【実施例２】
【００２０】
図５は本発明の別の実施例を説明する図であって、前記実施例１の図４に相当する図であり、この実施例２では、ガイド部材９の脚部１１の板体１１ｂ下端部に形成する凹部１２を、実施例１のような略円弧状とはせずに、略Ｌ字形状としている。
【００２１】
そして、このガイド部材９をコンベヤ１の本体フレーム２に固定するときには、実施例１のガイド部材を固定する場合と同様に、脚部１１下端部の凹部１２を本体フレーム２の鋼管６の上端面に載置して係止させた後、固定用ボルト１３を鋼管６側（図５中の矢印Ａ方向）へ締め付け操作すると、ボルト先端部１３ａが鋼管６を上方（図４中の矢印Ｂ方向）へと押圧し、これによって前記凹部１２及び掛止片１４とで鋼管６を挟持して脚部１１を強固に固定する。このとき、鋼管６はボルト先端部１３ａと、略Ｌ字形状の凹部１２を形成する水平縁部、及び掛止片１４の垂直縁部の三点にて固定支持されることになり、より強固に固定できて好適である。
【実施例３】
【００２２】
図６は本発明の更に別の実施例を説明する図であって、前記実施例１の図４に相当する図であり、この実施例３では、ガイド部材９の脚部１１の板体１１ｂ下端部に形成する凹部１２を、実施例１と同様の略円弧状とする一方、この凹部１２の先端側には実施例１の掛止片に相当する部位は有しておらず、例えば、コンベヤの鋼管６の内方側（ベルト側）に何らかの部材等が存在して掛止片がそれと干渉するおそれがある場合にこの実施例３のガイド部材９を好適に採用することができる。
【００２３】
そして、このガイド部材９をコンベヤ１の本体フレーム２に固定するときには、実施例１、２のガイド部材を固定する場合と同様に、脚部１１下端部の凹部１２を本体フレーム２の鋼管６の上端面に載置して係止させた後、固定用ボルト１３を鋼管６側（図５中の矢印Ａ方向）へ締め付け操作すると、ボルト先端部１３ａが鋼管６を上方（図４中の矢印Ｂ方向）へと押圧し、これによって前記凹部１２とで鋼管６を挟持して脚部１１を固定する。このとき、凹部１２先端側には実施例１のような掛止片が存在しないため、ボルト先端部１３ａにて鋼管６を押圧した力を受け止める支持力は若干弱まるものの、脚部１１を鋼管６に固定支持する分には特に影響はない。
【符号の説明】
【００２４】
１…ベルトコンベヤ                  ２…本体フレーム
５…ベルト                          ５ａ…搬送面（ベルト）
６…鋼管（本体フレーム）            ７…ジョイント金具
８…側板                            ９…ガイド部材
１０…ガイド板                      １１…脚部
１２…凹部                          １３…固定用ボルト
１３ａ…ボルト先端部（固定用ボルト）
１４…掛止片
【図１】
2010202325.tif 000003
【図２】
2010202325.tif 000004
【図３】
2010202325.tif 000005
【図４】
2010202325.tif 000006
【図５】
2010202325.tif 000007
【図６】
2010202325.tif 000008
【図７】
2010202325.tif 000009